(57)【要約】【課題】  内容物が減少してきた場合に、トレーを変形して小さな容器とすることができるとともに、変形した形状を保持できる包装容器を提供する。【解決手段】  略四角筒状のケース２０と、当該ケース２０に引き出し可能に収納され一面が開口した略直方体形状のトレー３０と、からなる包装容器であって、ケース２０は、当該ケース２０の周方向に一周する切断可能である第一切取線２２を有し、トレー３０は、当該トレー３０の開口に対向する底面３６およびその側面３４、３５につながる切断可能である第二切取線４３を有し、当該トレー３０の引き出される方向に略垂直で折り曲げ可能である第一折線４４を底面３６および側面３４、３５に有することにより、トレー３０が第二切取線４３を切断して第一折線４４を折ることにより小型のトレー３０１に変形可能であることを特徴とする包装容器により、上記課題を解決する。【選択図】      図６
2006315751.tif 000002
【特許請求の範囲】
【請求項１】
略四角筒状のケースと、当該ケースに引き出し可能に収納され一面が開口した略直方体形状のトレーと、からなる包装容器であって、
前記ケースは、当該ケースの周方向に一周する切断可能である第一切取線を有し、
前記トレーは、当該トレーの開口に対向する底面およびその側面につながる切断可能である第二切取線を有し、当該トレーの引き出される方向に略垂直で折り曲げ可能である第一折線を前記底面および前記側面に有することにより、前記トレーが前記第二切取線を切断して前記第一折線を折ることにより小型のトレーに変形可能であることを特徴とする包装容器。
【請求項２】
前記ケースの一端から前記第一切取線までの長さと前記トレーの引き出す方向の一端から前記第一折線までの長さとを略同一とし、前記小型のトレーの引き出される方向の長さが当該トレーの引き出す方向の一端から前記第一折線までの長さとなるようにし、
前記トレーの前記第二切取線は、前記トレーの前記側面における前記第一折線から前記底面の引き出される方向に略垂直である幅の２分の１以上の長さをおいた位置、前記トレーの前記底面における前記第一折線から前記側面の引き出される方向に略垂直である幅と同程度の長さをおいた位置、にそれぞれ有することを特徴とする請求項１に記載の包装容器。
【請求項３】
前記トレーは、前記底面から延長する前記延長片を有するとともに、前記延長片が少なくとも四本の第二折線を幅方向に有し、当該四本の第二折線がそれぞれ折られて前記延長片の一部が前記底面に接着されることにより引き出される方向の断面が略長方形である中空部を有するように形成される引出部を有することを特徴とする請求項１または２に記載の包装容器。
【発明の詳細な説明】
【技術分野】
【０００１】
本発明は、ケースと当該ケースに収納されるトレーとからなる包装容器に関するものである。
【背景技術】
【０００２】
菓子等を収納する容器として、略四角筒形状のケースと当該ケースに収納されるトレーとからなる紙製の包装容器が知られている。
【０００３】
このような包装容器の内容物が減ってくると、内容物に比べて容器自体が大きく、使用者にとって容器がじゃまになる場合がある。そのため、トレーを略半分に折ることにより、小さい容器に変形して利用することができるカートンが知られている（例えば、特許文献１参照）。
【０００４】
一方、同様の包装容器において、使用者がケースからトレーを引き出す際に持ちやすいよう、引き出す側のトレーの側面が引き出す方向にたおれるような形状であり、その構成のためにトレーの一部に内容物が入らない空間を有する包装容器が知られている（例えば、特許文献２参照）。
【特許文献１】特開２００２−３０８２５１号公報
【特許文献２】特開平７−２４２２３０号公報
【発明の開示】
【発明が解決しようとする課題】
【０００５】
上述の特許文献１に記載のカートンは、粒ガムのような小さな内容物を収納することに適している。しかしながら、このような容器をチョコレートのような一つ辺りの大きさや質量が大きい内容物に用いた場合や、引用文献２に記載の容器のように内容物が入らない空間のあるトレーに用いた場合には、トレーを略半分に折って小さい容器に変形した際に、トレーにおいて小さい容器の高さ分としてとられる面積が大きくなる等、残った内容物を入れる容積を確保できないという不都合があった。また、同様の場合に、変形した形状にしっかりと保持できず、開いてしまうという不都合もあった。
【０００６】
そこで、本発明の目的は、ケースと当該ケースに収納され一面が開口した略直方体形状のトレーとからなる包装容器であって、内容物が減少してきた場合に、トレーを変形して小さな容器とすることができるとともに、変形した形状を保持できる包装容器を提供することにある。
【課題を解決するための手段】
【０００７】
上記課題を解決する本発明の包装容器は、略四角筒状のケースと、当該ケースに引き出し可能に収納され一面が開口した略直方体形状のトレーと、からなる包装容器であって、前記ケースは、当該ケースの周方向に一周する切断可能である第一切取線を有し、前記トレーは、当該トレーの開口に対向する底面およびその側面につながる切断可能である第二切取線を有し、当該トレーの引き出される方向に略垂直で折り曲げ可能である第一折線を前記底面および前記側面に有することにより、前記トレーが前記第二切取線を切断して前記第一折線を折ることにより小型のトレーに変形可能であることを特徴とする。
【０００８】
この発明によれば、トレーの内容物が減少した場合に、トレーの第二切取線を切断するとともに、トレーの第一折線を折って、小型のトレーとすることにより、この小型のトレーに内容物を収納することができる。そして、ケースの第一切取線を切断し、切断されたケースの一方の片に上記の小型のトレーを収納することができる。このように、本発明の包装容器によれば、内容物が減少した場合に容器を小型に変形することができ、持ち運び等にじゃまにならず、使用者に持ちやすいものとなるとともに、変形した形状も保持できるものになる。
【０００９】
上記本発明の包装容器において、前記ケースの一端から前記第一切取線までの長さと前記トレーの引き出す方向の一端から前記第一折線までの長さとを略同一とし、前記小型のトレーの引き出される方向の長さが当該トレーの引き出す方向の一端から前記第一折線までの長さとなるようにし、前記トレーの前記第二切取線は、前記トレーの前記側面における前記第一折線から前記底面の引き出される方向に略垂直である幅の２分の１以上の長さをおいた位置、前記トレーの前記底面における前記第一折線から前記側面の引き出される方向に略垂直である幅と同程度の長さをおいた位置、にそれぞれ有することを特徴とする。
【００１０】
この発明によれば、具体的に、底面における第一折線から第二切取線までの片が引き出される方向の側面に対向する新たな側面となり、二つの側面における第一折線から第二切取線までの片が同様の新たな側面となるとともに当該二つの片を底面の片の外側で留めることにより小型のトレーの形状が確保できることとなる。
【００１１】
上記本発明の包装容器において、前記トレーは、前記底面から延長する前記延長片を有するとともに、前記延長片が少なくとも四本の第二折線を幅方向に有し、当該四本の第二折線がそれぞれ折られて前記延長片の一部が前記底面に接着されることにより引き出される方向の断面が略長方形である中空部を有するように形成される引出部を有することを特徴とする。
【００１２】
この発明によれば、上述の効果に加え、トレーの引出部が開口した側から押すと引き出される方向につぶれることとなるため、包装容器の使用者がトレーを引き出しやすくなる。さらに、トレー引出部を設けても、ケースの第一切取線、トレーの第二切取線および第一折線の位置を調整することにより、トレーを小型に変形した場合の容積が確保できる。
【発明の効果】
【００１３】
本発明の包装容器によれば、その内容物が減少してきた場合に、ケースおよびトレーを小型に変形することができ、変形した形状も保持できるものになる。
【発明を実施するための最良の形態】
【００１４】
以下に、本発明の包装容器について、図面を参照して説明する。なお、本実施形態は、本発明を実施するための一形態に過ぎず、本発明は本実施形態によって限定されるものではない。
【００１５】
図１は、本発明の包装容器の一例を示す全体斜視図であり、図２は、本発明の包装容器に設けられるケースの一例を示す斜視図である。図３は、図２のケースのブランク体の一例を示す図である。図４（ａ）は、本発明の包装容器に設けられるトレーの一例を示す斜視図であり、図４（ｂ）は図４（ａ）のトレーの引き出し方向断面図であり、図５は、図４（ａ）のトレーのブランク体の一例を示す図である。図６は、ケースおよびトレーを変形する態様を示す図である。図７は、トレーの他の例を示す斜視図およびブランク体を示す図である。
【００１６】
図１、図２および図４に示すように、本発明の包装容器１０は、ケース２０と、当該ケース２０に収納され一面が開口した略直方体形状のトレー３０と、からなる。各図においては、具体的に、ケース２０は、一対の対向する開口２１１、２１２を有した略四角筒形状であり、トレー３０は、ケース２０の開口２１１または２１２から引き出し可能に収納されている。
【００１７】
トレー３０が引き出される方向は、ケース２０における開口２１１、２１２を有するいずれかの方向（図１、図２および図４中の矢印Ａ方向）であり、通常、包装容器１０における長手方向となる。なお、本発明においては、トレー３０が引き出される方向Ａを長手方向とし、トレー３０の底面３１において、長手方向に略垂直な方向を幅方向という。
【００１８】
まず、本発明の包装容器１０に設けられるケース２０について、図２および図３を用いて説明する。
【００１９】
図２に示すように、ケース２０は略四角筒状であり対向する二面に開口２１１、２１２を有する形状をしており、トレー３０が過不足なく収納される大きさとなっている。
【００２０】
ケース２０は、当該ケース２０の周方向に一周し、切断可能である第一切取線２２を有している（図２および図３参照）。ケース２０の一端（開口２１１）から第一切取線２２までの長さＬ１は、通常、後述するトレー２０の引き出す方向の一端（側面３２）から第一折線４４までの長さＬ２と略同一とする。さらに図６（ａ）等を用いて後述するように、ケース２０の第一切取線２２を切断すると、長さＬ１の小型のケース２０１が得られ、小型の容器５０に用いられることとなる。
【００２１】
第一切取線２２は、使用者により簡易に切り取ることができるようになっていればよく、特にその態様は限定されないが、図２等に示すように、０．５〜１０ｍｍ程度の切り込みが等間隔に並んだミシン目となっていることが好ましい。
【００２２】
ケース２０のその他の構成は特に限定されず、使用者がトレー３０を取り出しやすいように、図２に示すような切欠部２３を、トレー３０を引き出す側に設けていてもよい。この切欠部２３の形状は、図２に示すように略台形の形状でもよいし、略四角形、略三角形、円や楕円を切断したような形状でもよく、特に限定されない。また、図示しないが、ケース２０には、包装容器１０の内容物が見えるよう、一又は複数の窓を設けてもよい。この切欠部２３や窓は、意匠性等も考慮して設けられる。
【００２３】
ここで、図３に示すブランク体２９から図２に示すケース２０とするには、例えば、ブランク体２９の破線２４で示す各折線を折り、ブランク体２９の一端であり接着片となる片２５１を他端２５２に接着して、形成することができる。なお、ケース２０の形成方法は、上述のものに限定されない。また、ブランク体２９の形状は、図３に示すものに限定されず、上述の第一切取線２２を有する形状であれば、どのようなものであってもよい。
【００２４】
次いで、包装容器１０に設けられるトレー３０について、図４および図５を用いて説明する。
【００２５】
トレー３０は、図４（ａ）に示すように、開口３１に対向する底面３６とこれに略垂直に形成される各側面３２、３３、３４、３５（引き出される側の前側面３２、前側面３２に対向する後側面３３、開口側から前側面３２に向かって右側の右側面３４、右側面３４に対向する左側面３５）により構成される。
【００２６】
トレー３０は、図５のブランク体４０に示すように、開口した一面３１に対向する底面３６から長手方向（引き出される方向：図１、図２および図４中の矢印Ａ方向）に延びる延長片３７を有している。そして、図４（ａ）および図４（ｂ）に示すように、延長片３７は、その一部３７１が底面３６に接着されて、引き出される側の前側面３２となっている。
【００２７】
図４（ａ）、図４（ｂ）および図５において、トレー３０は、延長片３７が、少なくとも四本の第二折線３８１、３８２、３８３、３８４を幅方向に有することにより、図４（ｂ）に断面図を示すように、引き出される方向Ａの断面が長方形である中空部４１を有するように折られて形成される引出部４２を有する形状となっている。この形状は、引出部４２を使用者がつまむことにより、図４（ｂ）の矢印Ｂのように力が加わり、図４（ｂ）の破線で示すように引出部４２がつぶれて持ちやすくなり、ケース２０からトレー３０を引き出しやすくなる。なお、前側面３２の変形態様については、図７を用いて後述する。
【００２８】
また、図４（ａ）、図４（ｂ）および図５に示すように、トレー３０は、当該トレー３０の開口３１に対向する底面３６およびそのケース３０と接することとなる側面３４、３５につながる切断可能である第二切取線４３を有する。さらにトレー３０は、当該トレー３０の引き出される方向Ａに略垂直で折り曲げ可能である第一折線４４を底面３６および側面３４、３５に有する。このことにより、トレー３０は第二切取線４３を切断して第一折線４４を折ることにより、図６（ｂ）等を用いて後述するように、小型のトレー３０１に変形可能である。
【００２９】
具体的に、上述のケース２０の一端２１１から第一切取線２２までの長さＬ１（図２参照）とトレー３０の引き出す方向の一端３２から第一折線４４までの長さＬ２（図５参照）とを略同一とし、小型のトレー３０１の引き出される方向の長さＬ３（図６（ｄ）参照）が当該トレー３０の引き出す方向の一端３２から第一折線４４までの長さＬ２となるようにする。この長さＬ１、Ｌ２、Ｌ３は、引出部４２を設ける場合には、引出部４２の長さ分と小型の容器５０に変形した後に入れる内容物の大きさや個数等により適宜設定され、通常、長さＬ１、Ｌ２、Ｌ３は、ケース３０の長さＬ（図１参照）の１／２と同程度か若干大きく、または、若干小さくする。
【００３０】
また、トレー３０の第二切取線４３は、トレー３０の側面３４、３５における第一折線４４から底面３６の引き出される方向Ａに略垂直である幅Ｗ１（図５参照）の２分の１以上の長さＬ４（図５参照）をおいた位置に有する。さらに、第二切取線４３は、トレー３０の底面３６における第一折線４４から側面３４、３５の引き出される方向に略垂直である幅Ｈ１（図５参照）と同程度の長さＨ２をおいた位置に有する。第一折線４４と第二切取線４３がこのような位置関係にあることにより、小型に変形した後のトレー３０１は、前側面３２に対向する新たな後側面４６を形成したときに、他の側面３４、３５と同様の高さＨ２を有することとなり、小型のケース２０１に過不足なく収納できることとなる。
【００３１】
第二切取線４３は、第一切取線２２と同様に、使用者により簡易に切り取ることができるようになっていればよく、特にその態様は限定されないが、図５に示すように、０．５〜１０ｍｍ程度の切り込みが等間隔に並んだミシン目となっていることが好ましい。
【００３２】
ここで、側面３４、３５の第一折線４４と第二切取線４３との間の片４７１、４７２は、新たな後側面４６を形成するために留められることとなるが、この留めるための機構は、特に限定されず、どのようなものでもよい。例えば、図４（ａ）および図５のブランク体４０に示すように、一片４７１には上側から切り込みを設け、他片４７２には下側から切り込みを設けて、これらの切り込み同士を引掛合わせることにより、両片４７１、４７２を留めることができる。他の側面３４、３５の第一折線４４と第二切取線４３との間の片４７１、４７２を留めるための機構については、図７を用いて後述する。
【００３３】
なお、図５に示すブランク体４０について、ケース３０の辺４５をそれぞれ折ることにより側面３２、３３、３４、３５を立ち上げ、後側面３３については右側辺３４および左側辺３５から延びる片４８１を後側面３３とその延長片３３１とで挟んで接着等により固定し、前側面３２については延長片３７の第二折線３８１、３８２、３８３を底面３６側が山になるように折り、第二折線３８４を底面３１側が谷になるように折り、第二折線３８４よりも先端側の一部３７１が底面３６の内側に接着されている。
【００３４】
ここで、図６を用いて、ケース２０とトレー３０を変形して小さな容器５０とする過程について説明する。
【００３５】
まず、図２に示すケース２０の第一切取線２２を切断することにより、図６（ａ）に示すように二片のケース２０１、２０２に分離する。このうち、切欠部２３を有する場合には、切欠部２３を有する側のケース片２０１を小型の容器５０に用いることが好ましい。
【００３６】
次いで、図４（ａ）に示すトレー３０の第二切取線４３を切断することにより、図６（ｂ）に示すように、二片のトレー３０１、３０２に分離する。このうち、引出部４２を有する場合には、引出部４２を有する側のトレー片３０１を小型の容器５０に用いることができるように、第二切取線４３および第一折線４４をトレー３０に設けておく。
【００３７】
次いで、図６（ｃ）に示すように、トレー片３０１の第一折線４４を折ることにより、底面３６の一部４７３を新たな後側面４６として立ち上げ、右側面３４の一部４７１および左側面３５の一部４７２を折り、各片４７１、４７２の重なる部分を留めることにより、新たな後側面４６が形成される。このとき、図６（ｃ）に後側面４６の拡大図を示すように、各片４７１、４７２の先端が後ろ側面４６よりも前側面３２側に位置するように各片４７１、４７２を留め合わせる（図６（ｃ）破線部分参照）。
【００３８】
図６（ｄ）に示すように、この新たな後側面４６が形成された小型のトレー３０１は、上述の小型のケース２０１に収納され、小型の容器５０に変形することができることとなる。
【００３９】
続いて、図７（ａ）乃至図７（ｃ）を用いて上述のトレー３０の変形形態について説明する。図７（ａ）はトレー３０の斜視図、図７（ｂ）はトレー３０のブランク体４０、図７（ｃ）はトレー３０の変形後の小型容器の部分斜視図を示す。
【００４０】
トレー３０における前側面３２は、図７（ａ）、図７（ｂ）に示すように、トレー３０の延長片３７が、三本の第二折線３８１、３８２、３８３を幅方向に有することにより、通常の縁を有する形状となっている。右側辺３４および左側辺３５から延びる片４８２を前側面３２とその延長片３７とで挟んで延長片３７の一部３７１を接着等により固定することができる。この場合にも、トレー３０は、上述の第二切取線４３と第一折線４４を有しており、小型のトレー３０１に変形し、小型の容器５０に変形することが可能となる。なお、前側面３２の形態は、図示しないが、後側面３３の形態と同様であってもよい。
【００４１】
また、側面３４、３５の第一折線４４と第二切取線４３との間の片４７１、４７２は、図７（ａ）〜図７（ｃ）に示すような新たな後側面４６を形成するために留める機構を有していてもよい。具体的に、一片４７１の先端となる第二切取線４３は、この片４７１の先端が後側面３３に向かって凸となるような形状とする。また、他片４７２の先端付近には、トレー３０の引き出される方向Ａに略垂直な切り込み４７４が設けられる。図７（ｃ）に示すように、この片４７２の切り込み４７４に上述の片４７１の凸形状の先端を差し込むことにより、両片４７１、４７２を留めることができる。なお、片４７１の先端の形状は、特に限定されないが、例えば、図７（ｃ）に示すように途中の幅を広くし、切り込み４７４に片４７１の先端を差し込んだ後に、抜けにくくすることが好ましい。
【００４２】
以上説明したケース２０やトレー３０における各折線２４、３８１、３８２、３８３、３８４、４４、４５等は、折りやすいように、折罫、ミシン罫、押し罫、リード罫、全切れ、半切れ等の折り目が形成されていてもよい。
【００４３】
ここで、包装容器１０を構成するケース２０とトレー３０の材質は、特に限定されないが、強度や折り曲げ易さ等を考慮して、通常、紙やプラスチック材、その他のシート状の材料が用いられる。紙を用いる場合、通常、コートボール紙、カートン紙、カップ原紙、ダンボール紙、板紙等（再生紙を含む）、カード紙等の通常の紙器加工に用いられる材料を使用できる。紙の厚さは、特に限定されないが、強度の高い紙を用いることが好ましい。具体的に、紙の厚さは、通常、０．１〜１．０ｍｍ程度、秤量値は、通常、１００〜１０００ｇ／ｍ２程度である。また、紙を用いる場合には、紙目の方向は特に限定されないが、図３に示すようにケース２０であればその幅方向が紙目となることが好ましく、図５に示すようにトレー３０であればその長手方向が紙目となることが好ましい。また、プラスチック材を用いる場合、熱可塑性樹脂、熱硬化性樹脂、ポリエステル、ポリプロピレン、セロファン、ポリカーボネート、酢酸セルロース、ポリエチレン、ポリ塩化ビニル、ポリスチレン、ポリアミド、ポリイミド、ポリ塩化ビニリデン、ポリビニルアルコール、エチレン・酢酸ビニル共重合体けん化物、フッ素樹脂、塩化ゴム、アイオノマー、エチレン・アクリル酸共重合体、エチレン・アクリル酸エステル共重合体、等のプラスチックのフィルムや、ポリ乳酸（脂肪族ポリエステル樹脂）等の生分解性プラスチックフィルムを用いることができ、その他にもコンデンサー紙、パラフィン紙、不織布、アルミニウム箔やこれらを複合したフィルムを用いてもよい。なお、ケース２０とトレー３０は、通常、同様の材料から作製されるが、異なる材料から作製されてもよい。
【００４４】
また、ケース２０とトレー３０は、通常、それぞれ一枚のシート状材料から作製されるが、複数枚の材料から製造されてもよい。ただし、複数枚の材料を用いる場合には、包装容器１０を作製するための工程数が増えるため、一枚の材料を用いることが好ましい。
【００４５】
包装容器１０は、通常、略直方体形状であり、図１に示すように、トレー３０の引き出し方向に長い形状となっている。直方体の各辺の比は、特に限定されず、用途に合わせて適宜設定される。
【００４６】
包装容器１０の大きさも、特に限定されないが、図１に示すように、直方体の各辺を縦Ｌ、横Ｗ、高さＨ、とすると、通常、縦Ｌ５０〜１０００ｍｍ、横Ｗ５〜１０００ｍｍ、高さＨ５〜３００ｍｍ程度である。なお、この大きさがケース２０の大きさとなり、ケース２０に収納されるトレー３０は、これよりも若干小さい大きさとする。
【００４７】
包装容器１０の内容物も、特に限定されないが、通常、菓子、他の食品、雑貨、化粧品、トイレタリー等であり、複数個入る内容物が好ましく用いられる。菓子としては、スティク形状やブロック形状等の一口サイズのチョコレートやビスケット、ガム等の菓子類などが挙げられる。
【００４８】
本発明の包装容器１０は、ケース２０およびトレー３０が上述の構成となっていれば、必要に応じてその他の機能等がさらに設けられていてもよい。
【図面の簡単な説明】
【００４９】
【図１】本発明の包装容器の全体の一例を示す斜視図である。
【図２】本発明の包装容器に設けられるケースの一例を示す斜視図である。
【図３】カバーのブランク体の一例を示す図である。
【図４】本発明の包装容器に設けられるトレーの一例を示す斜視図（ａ）およびその断面図（ｂ）である。
【図５】トレーのブランク体の一例を示す図である。
【図６】ケースおよびトレーを変形する態様を示す図である。
【図７】トレーの他の例を示す斜視図（ａ）、ブランク体を示す図（ｂ）およびその変形後の小型の容器の部分斜視図（ｃ）である。
【符号の説明】
【００５０】
１０  包装容器
２０  ケース
２０１、２０１  ケースの切断片
２１１、２１２  開口
２２  第一切取線
２３  切欠部
３０  トレー
３０１、３０２  トレーの切断片
３１  開口
３２、３３、３４、３５  側面
３６  底面
３７  延長片
３８１、３８２、３８３、３８４  第二折線
４１  中空部
４２  引出部
４３  第二切取線
４４  第一折線
４５  トレーの辺
４６  新たな側面
４７１、４７２、４７３  切断後の折込片
４７４  切り込み
４８１、４８２  右側面または左側面の延長片
５０  小型の容器
【図１】
2006315751.tif 000003
【図２】
2006315751.tif 000004
【図３】
2006315751.tif 000005
【図４】
2006315751.tif 000006
【図５】
2006315751.tif 000007
【図６】
2006315751.tif 000008
【図７】
2006315751.tif 000009